(57)【特許請求の範囲】
【請求項１】
エレキギターのボディー（１０）に対してアーム（２１）とともに揺動可能に取り付けられ、弦（３０）の一端に設けられたエンドピン（３１）が入れられる穴（２２）を有し、この穴（２２）に入れられたエンドピン（３１）と係合することで弦（３０）に張力を付与する弦支持体（２０）を有するエレキギターのトレモロ構造であって、
前記エンドピン（３１）が入れられた穴（２２）に圧入され、先端（４２）がエンドピン（３１）に当接することでエンドピン（３１）を固定する圧入部材（４０）を備え、
この圧入部材（４０）は、前記エンドピン（３１）を前記弦（３０）が引っ張る側と反対側から前記穴（２２）に入れられることを特徴とするエレキギターのトレモロ構造。
【発明の詳細な説明】
【技術分野】
【０００１】
本発明は、エレキギターのトレモロ構造に関するものである。特に、チューニングの狂いを軽減する技術に関するものである。
【背景技術】
【０００２】
従来、例えば、図２（ａ）に示すように、
エレキギターのボディー１０に対してアーム２１とともに揺動可能に取り付けられ、弦３０の一端に設けられたエンドピン３１が入れられる穴２２を有し、この穴２２に入れられたエンドピン３１と係合することで弦３０に張力を付与する弦支持体２０を有するエレキギターのトレモロ構造が知られている。
【０００３】
このような構造は、例えば特許文献１にも開示されている。
【０００４】
このようなトレモロ構造によれば、周知のように、アーム２１で弦支持体２０を揺動させることで、一時的に弦３０の張力を変えて音程を変えることができる。
【０００５】
しかし、従来のエレキギターのトレモロ構造では、弦３０の張力を弱める方向（図２において矢印Ｄ方向）にアーム２１を揺動させるアームダウンによるチューニングの狂いが頻繁に起きるという難点がある。
【０００６】
これは、アームダウンにより、例えば図２（ｂ）に示すように、エンドピン３１が穴２２の端部（エンドピン３１との接触部分）２２ｔから離れることがあり、一旦エンドピン３１が穴２２の端部２２ｔから離れてしまうと、その後、エンドピン３１が元の位置に戻ったとしても、弦３０の張力が適正状態（本来のチューニングされた状態）に戻らなくなってしまうからであると考えられる。
【先行技術文献】
【特許文献】
【０００７】
【特許文献１】実開昭５８−１３８９８９号公報
【発明の概要】
【発明が解決しようとする課題】
【０００８】
本発明が解決しようとする課題は、チューニングの狂いを軽減することができるエレキギターのトレモロ構造を提供することである。
【課題を解決するための手段】
【０００９】
上記課題を解決するために本発明のエレキギターのトレモロ構造は、
エレキギターのボディーに対してアームとともに揺動可能に取り付けられ、弦の一端に設けられたエンドピンが入れられる穴を有し、この穴に入れられたエンドピンと係合することで弦に張力を付与する弦支持体を有するエレキギターのトレモロ構造であって、
前記エンドピンが入れられた穴に圧入され、先端がエンドピンに当接することでエンドピンを固定する圧入部材を備え、
この圧入部材は、前記エンドピンを前記弦が引っ張る側と反対側から前記穴に入れられることを特徴とする。
【００１０】
このエレキギターのトレモロ構造によれば、
圧入部材が、エンドピンが入れられた穴に、エンドピンを弦が引っ張る側と反対側から圧入され、圧入部材の先端がエンドピンに当接することでエンドピンを固定しているので、
アームの操作で弦支持体が揺動しても、エンドピンは、該エンドピンが係合している穴の端部（エンドピンとの接触部分）から離れなくなる。
したがって、チューニングの狂いが生じ難くなる。
【図面の簡単な説明】
【００１３】
【図１】本発明に係るエレキギターのトレモロ構造の実施の形態を示す図で、（ａ）は腰部断面図、（ｂ）は作用説明図、（ｃ）は圧入部材４０の正面図。
【図２】（ａ）（ｂ）はそれぞれ従来技術の説明図。
【発明を実施するための形態】
【００１４】
以下、本発明に係るエレキギターのトレモロ構造の実施の形態について図面を参照して説明する。なお、各図において、同一部分ないし相当する部分には、同一の符号を付してある。
【００１５】
図１に示すように、この実施の形態のエレキギターのトレモロ構造１は、
エレキギターのボディー１０に対してアーム２１とともに揺動可能に取り付けられ、弦３０の一端に設けられたエンドピン３１が入れられる穴２２を有し、この穴２２に入れられたエンドピン３１と係合することで弦３０に張力を付与する弦支持体２０を有している。
【００１６】
そしてこの実施の形態のエレキギターのトレモロ構造１は、
エンドピン３１が入れられた穴２２に圧入され、先端４２がエンドピン３１に当接することでエンドピン３１を固定する圧入部材４０を備えている。
【００１７】
圧入部材４０は、エンドピン３１が入れられた穴２２に圧入される圧入部４１と、エンドピン３１に当接する先端部４２とを有している。
【００１８】
このようなエレキギターのトレモロ構造によれば、
圧入部材４０が、エンドピン３１が入れられた穴２２に圧入され、圧入部材４０の先端４２がエンドピン３１に当接することでエンドピン３１を固定しているので、
アーム２１の操作で弦支持体２０が例えば図１（ｂ）に示すように揺動しても、エンドピン３１は、該エンドピン３１が係合している穴２２の端部（エンドピン３１との接触部分）２２ｔから離れなくなる。
したがって、チューニングの狂いが生じ難くなる。
【００１９】
また、図１（ｃ）に示すように、圧入部材４０は、エンドピン３１が入れられた穴２２に圧入される圧入部４１と、エンドピン３１に当接する先端部４２とを有しているので、図１（ａ）に示すように、エンドピン３１が入れられた穴２２に圧入部４１を圧入し、先端部４２をエンドピン３１に当接させることでエンドピン３１を固定することができる。
【００２０】
したがって、アーム２１の操作で弦支持体２０が揺動しても、エンドピン３１は、該エンドピン３１が係合している穴２２の端部（エンドピン３１との接触部分）２２ｔから離れなくなり、結果として、チューニングの狂いが生じ難くなる。
【００２１】
なお、本願発明により、トレモロ構造を有するエレキギターのチューニングの狂いが低減されることは、本願発明者により、実証されている。
【００２２】
穴２２は、弦３０の本数と同数設けられている。弦の本数が６本の場合、６個設けられており、それぞれの穴２２に圧入部材４０が圧入される。
【００２３】
圧入部材４０は、公知の適宜の材料で構成できる。例えば木材、金属、プラスチック、等の材料で構成できる。
【００２４】
圧入部材４０の形状は、穴２２に圧入できて先端部４２でエンドピン３１を固定できる（エンドピン３１が穴２２内を下動しないように固定できる）構造であれば任意である。
図示の圧入部材４０は、棒状（ピン形状）に構成されている。
圧入部材４０は、その頭部４３が、トレモロを組み込んであるボディ１０の穴１１から突出しない長さとすることが望ましい。
【００２５】
図において、１２は、弦支持体２０をボディ１０に揺動可能に支持しているピン、１３は、弦支持体２０を、弦の張り方向に付勢しているスプリングである。
【００２６】
以上、本発明の実施の形態について説明したが、本発明は上記の実施の形態に限定されるものではなく、本発明の要旨の範囲内において適宜変形実施可能である。
【符号の説明】
【００２７】
１０：    エレキギターのボディー
２０：    弦支持体
２１：    アーム
２２：    穴
３０：    弦
３１：    エンドピン
４０：    圧入部材
４１：    圧入部
４２：    先端
【要約】
【課題】チューニングの狂いを軽減することができるエレキギターのトレモロ構造およびその構造に用いる圧入部材を提供する。
【解決手段】エレキギターのボディー１０に対してアーム２１とともに揺動可能に取り付けられ、弦３０の一端に設けられたエンドピン３１が入れられる穴２２を有し、この穴２２に入れられたエンドピン３１３１と係合することで弦３１に張力を付与する弦支持体２０を有するエレキギターのトレモロ構造であって、エンドピン３１が入れられた穴２２に圧入され、先端４２がエンドピン３１に当接することでエンドピン３１を固定する圧入部材４０を備えている。
【選択図】図１【図１】
0006772396.tif 000002
【図２】
0006772396.tif 000003